Podtech/llm-jp-corpus-v4-ja_patent huggingface dataset:
(57)【要約】【課題】  現在ごみの分別に用いられているポリ袋ハンガーは、床置型で大きいスペースを占有して邪魔になるばかりでなく脚部が塵の溜まり場となることが多い。占有スペースが小さく塵の溜まり場とならないポリ袋ハンガーが望まれる。【解決手段】  システムキッチンパネルの把手に懸けるポリ袋ハンガーを用意する。このハンガーは把手に懸けるための穴を空けた基板とポリ袋の紐を吊り下げるための2,3条の切れ込みをもつ側板2枚で構成する。基板の長さと切れ込み間隔でポリ袋の開口面が細長い矩形状に決まり、パネルに接して平行にポリ袋を吊り下げることにより大きい省スペース効果が得られる。ハンガー材料には木材、プラスチック何れを用いることもできるが、金属線で作るとより軽く安価なものが得られよう。このハンガーでは裾に塵が溜まる心配もない。【選択図】  図１
2005212828.tif 000002
【特許請求の範囲】
【請求項１】
システムキッチンパネルの把手に懸けることができる構造の基板の両端に、吊り下げ用切れ込み2,3条を持つ側板2枚を直角に固定したポリ袋ハンガーおよびこれと同等の機能を持つハンガー。
【発明の詳細な説明】
【技術分野】
【０００１】
システムキッチンパネルの把手に懸けて用いるごみ分別用省スペースポリ袋ハンガーの構造に関する。
【背景技術】
【０００２】
近年家庭からごみを分別して排出する必要性が高くなって、ごみを分別するためマーケットで容易に入手できるポリエチレン製の買い物袋（以下ポリ袋と記す）が強度,大きさ,手提げ部のある形状、可燃性などの点から広く利用されている。
【０００３】
ごみを分別投入するための床置き型の開閉枠式ポリ袋ハンガーは既に数種類市販されているが、このハンガーは開口面積が大きくごみ投入には便利な反面、広いスペースを必要とする
【０００４】
分別のため数個の床置き型ポリ袋ハンガーをキッチンあるいはダイニングルームに置くと、かなり広い場所を塞ぎ歩行の妨げとなることが多い。またハンガーを床上に置くとその脚部あるいはポリ袋の裾に床上の塵が付着し見苦しく不潔になる。
【０００５】
特許公開公報には開閉枠式のポリ袋ハンガーあるいはそれに類似したものは見当らない。関連する内容の公開特許公報中、特許文献1は床置き型であり、特許文献2,3は買い物用ポリ袋を対象とするものではない。何れも本特許申請の内容とは程遠いものである。
【特許文献１】特許公開2002-362703 ゴミ分別可能組立式ゴミ袋ハンガー
【特許文献２】特許公開2003-118712 袋用ハンガー
【特許文献３】特許公開2000-007106 ポリエチレン袋用オープンハンガー
【発明の開示】
【発明が解決しようとする課題】
【０００６】
ごみ分別用ポリ袋ハンガーが食料品の包装を解くことが多いシステムキッチンの流し台近傍にあると便利である。しかしそこは人の出入りも頻繁で床置型のハンガーを置くと支障をきたす場合が多い。
【０００７】
従って小さいスペースでごみ分別に利用できるポリ袋ハンガーが要求される。
【０００８】
ハンガーには買い物用ポリ袋を簡単に懸け外しできることが必要である。
【０００９】
ハンガーを懸ける位置も簡単に変更できることが望まれる。
【課題を解決するための手段】
【００１０】
ハンガーを床上に置かずシステムキッチンパネルの把手に懸ける構造とする(図１参照)。
【００１１】
基本的にはハンガーは種々の把手に懸け得る構造を持つ基板に、ポリ袋吊り下げ用切れ込みを持つよ側板2枚を直角に固定した構造を持つ。
【００１２】
基板には、横コの字型把手、縦コノ字型把手、ノブなど一般に用いられている把手の何れにでも懸けることができる形状の穴あるいは吊り金具を持たせる（図2参照）。
【００１３】
側板には,ポリ袋の手提げ部分を引っ掛けて吊り下げるための2,3条の切れ込みを適当な間隔で設ける（図3参照）。
【００１４】
切れ込みを利用するのでポリ袋の懸け外しが簡単にできる。
【００１５】
基板の長さと側板の切れ込み間隔はポリ袋の矩形状開口面積を決める(図１参照)。
【００１６】
細い矩形状に開口したポリ袋を吊り下げることにより、パネルに接する空き空間を利用した少ないスペースでのごみの分別投入が可能となる。
【００１７】
側板の切れ込みを３本にするとポリ袋２枚を矩形の長辺を共有して平行に懸けることができ、さらに省スペース分別投入が可能となる。
【発明の効果】
【００１８】
要分別ごみを最も多く排出するキッチンで、パネルの把手にポリ袋ハンガーを懸けて用いることにより、ごみの分別を効率よく行うことができる。
【００１９】
吊り下げたポリ袋がパネルに平行に細長く開口しているので、空き空間の利用による大きい省スペース効果が得られる。
【００２０】
システムキッチンの比較的開閉頻度の少ない扉、引出しの把手にハンガーを懸けることによりさらに支障感を少なくすることができる。
【００２１】
ハンガーを床上に置かないので歩行の邪魔にならず、塵の溜まり場とはならない。
【発明を実施するための最良の形態】
【００２２】
ポリ袋の開口面積を決める基板長は１８〜２３ｃｍ、側板切れ込み間隔４〜６ｃｍ、切れ込み巾１ｃｍ程度が適当である。この程度の開口面積で充分ごみの分別投入が可能である。
【実施例】
【００２３】
ハンガーの材料として木材を用いるのが基本であるが、適切なプラスチック材料を用いれば強度もあり製作費も軽減できよう。
【００２４】
基板と側板とは最初から固定することもできるが、ねじ、蟻溝等を用いて利用者が組み立てる構造とすることもできる。
【００２５】
把手に懸けるポリ袋ハンガーという機能を持たせて全体を金属線で構成すれば、より安価に軽い分別用ハンガーが得られる。金属線の表面にやわらかく厚い塗装を施せばパネル面の痛みを心配する必要もない。
【００２６】
両開きのパネル扉の把手に2個のハンガーを懸けたい場合、扉一枚に一個づつということになる。このような場合には補助の吊り金具を扉面につけてハンガーを水平に保つとよい。
【図面の簡単な説明】
【００２７】
【図１】ポリ袋ハンガー斜視図
【図２】ハンガー基板正面図
【図３】ハンガー側板正面図
【符号の説明】
【００２８】
１  基板
２  側板
３  横コの字把手
４  システムキッチンパネル
５  システムキッチンの天板
６  ポリ袋
７  ポリ袋開口部
８  横コの字把手用穴
９  縦コの字把手用吊り金具
１０  ノブ用穴
１１  2条の切れ込みを持つ側板
１２  切れ込み
１３  切れ込み間隔
１４  切れ込み巾
【図１】
2005212828.tif 000003
【図２】
2005212828.tif 000004
【図３】
2005212828.tif 000005
(57)【要約】    【課題】     建設機械のカバー側面板に形成される熱交換器用吸気口の目詰まり等を有効に防ぐことができる構造を提供する。    【解決手段】  車体側面板30に形成される吸気口1a〜1cの上部に、少なくとも該吸気口1a〜1cの幅以上の幅よりなる庇2a〜2cを形成させた。【選択図】        図２ 
2005212547.tif 000002
【特許請求の範囲】
【請求項１】
建設機械の車体側面板に形成される熱交換器用吸気口構造において、吸気口の上部に、少なくとも吸気口の幅以上の幅よりなる庇を形成させたことを特徴とする建設機械の熱交換器用吸気口構造。
【発明の詳細な説明】
【技術分野】
【０００１】
この発明は、建設機械に配設される熱交換器の通風用吸気口の構造に関する。
【背景技術】
【０００２】
建設機械の内部には熱交換器が配設され、このため空冷を行うための通風用吸気口が車体、例えばカバー部に設けられる。前記吸気口は、目詰まりを防いで通風性を良好に保つ必要から、カバー部の側板面に設けられる構造が多い（例えば特開平１０−２１３３４４号の図１）。さらに、その構造に加え、埃や塵、細かい土砂等の内部取り込みをより有効に防止するために、図３及び図４に示すように、側面板30の板面より多少奥まった部分に吸気口10が形成される構造もある。
【０００３】
【特許文献１】特開平１０−２１３３４４号（図１）
【発明の開示】
【発明が解決しようとする課題】
【０００４】
しかし、吸気口10の通気性をより向上させようとする図３及び図４に示す構造であっても、車両が移動している場合等は上方からの埃や塵等が斜め方向に落ちてくることもあり、目詰まりが完全に防げないことがあった。また、建設機械の側板面30下方には、特に図４に示すように段部Ｓが形成される構造があり、このような構造の場合、段部Ｓに埃や塵、砂等が堆積するので、下方に形成された吸気口10は堆積した前記砂等で口面が塞がれることもあった。
【０００５】
この発明は、従来技術の以上のような問題に鑑み創案されたもので、建設機械のカバー側面板に形成される熱交換器用吸気口の目詰まり等を有効に防ぐことができる構造を提供しようとするものである。
【課題を解決するための手段】
【０００６】
このため、この発明に係る建設機械の熱交換器用吸気口構造は、建設機械の車体側面板に形成される吸気口構造において、吸気口の上部に、少なくとも吸気口の幅以上の幅よりなる庇を形成させたことを特徴とする。
【０００７】
前記車体側面板とは、車体（多くはカバー部）を構成する部分のうち水平方向に面する板をいい、天井板と底板とを除いた部分をいう。また、前記庇は、その先端が車両外方に突出する片状部材をいい、下方に緩やかな傾斜が形成される形態が埃や塵等の流入を防止する見地から好ましい。
【０００８】
本発明に係る構造では、吸気口の上部に、少なくとも吸気口の幅以上の幅よりなる庇が形成されているので、車両の移動によって、上方から斜め方向に落ちてくる埃や塵等は庇によって吸気口側に流入することが遮られる。また、カバー下方に段部が形成されている建設機械であっても、庇によって、その段部への土砂の堆積が防げるので、下方の吸気口の口面が塞がれることもなくなる。
【０００９】
なお、前記段部への土砂の堆積を有効に防止するためには、庇先端が段部先端より外方に位置するように突出させる態様がより好ましい。
【発明の効果】
【００１０】
以上説明したように、この発明に係る建設機械の熱交換器用吸気口構造によれば、建設機械の車体側面板に形成される熱交換器用吸気口の目詰まり等を有効に防止することができる。このため、熱交換器が効率よく稼働することになって、建設機械の快適な操作が可能となる。
【発明を実施するための最良の形態】
【００１１】
本発明の具体的実施形態例を図１及び図２に基づき説明する。本形態例は、本発明が小旋回型油圧ショベルに適用された一例である。
【００１２】
本形態例の吸気口1a〜1cは、上部旋回体2の車体を構成するカバー側面板20の上下に沿って、その板面より奥まった位置に３箇所形成されている。いずれの吸気口1a〜1cの上縁にも庇2a〜2cが設置される。庇1aは吸気口1a上縁に形成されるフレームに沿って長めに形成されるが、庇2b,2cは吸気口1b,1cの幅より若干大きい幅で形成されている。各庇2a〜2cは、下方に向かうにしたがい外方の突出が増す緩やかな傾斜がつけられ、その先端は、下側吸気口1cの下方に形成されている段部Ｓの先端より、若干外方に突出している。
【００１３】
以上のように、本形態例の各吸気口1a〜1cには、その上縁に前記庇2a〜2cが形成されているので、上方から落ちてくる埃や塵、細かい砂等は庇2a〜2cに遮られ、外方に突出する庇2a〜2c先端から下方に落ちていくので、それらが吸気口1a〜1c側に流入することがなく、吸気口1a〜1cが目詰まりを起こすことがなくなる。また、庇2a〜2c先端が下方の段部Ｓ先端より外方に突出しているので、その段部Ｓに埃や塵、細かい砂等が堆積することもなくなり、下部の吸気口1cが堆積物によって口面が塞がれることもなくなる。
【００１４】
なお、以上は本発明の具体的形態の一例を示すものであり、本発明が上記形態例に限定されるものでないことは当然である。したがって、上記形態例の一部を変更する態様、例えば吸気口を後方側の側面板に形成したり、庇の先端をより外方に突出させたり、また吸気口が設けられる箇所のみ下方段部をなくしたりする等の態様であっても良い。
【産業上の利用可能性】
【００１５】
この発明は、油圧ショベルのような建設機械であって、車体側面板に熱交換器用吸気口が形成される建設機械に適用される。
【図面の簡単な説明】
【００１６】
【図１】本発明に係る一形態例を示し、小旋回型油圧ショベルの側面図である。
【図２】図１の形態例を示し、(a)は斜視図、(b)は(a)中Ａの拡大図である。
【図３】従来の吸気口構造を示し、小旋回型油圧ショベルの側面図である。
【図４】図３の構造を示し、(a)は斜視図、(b)は(a)中Ｂの拡大図である。
【符号の説明】
【００１７】
1a,1b,1c           吸気口
2                  庇
3                  上部旋回体
30                 側面板（カバー側面板）
【図１】
2005212547.tif 000003
【図２】
2005212547.tif 000004
【図３】
2005212547.tif 000005
【図４】
2005212547.tif 000006
(57)【要約】【課題】  鉄道車両に設置された電線から発生する漏洩磁束が車内へ漏れるのを低減することにある。【解決手段】  本願発明は、鉄道車両に設置された電線より発生する漏洩磁束が車内へ漏れるのを低減する為に、車両床下，床中，天井，側，妻，仕切り壁内に設置した磁気遮蔽板において、前記磁気遮蔽板より高透磁率で飽和磁束密度の高い部材を、前記磁気遮蔽板で挟み込んだこと、を特徴とする。【選択図】図２
2005212575.tif 000002
【特許請求の範囲】
【請求項１】
鉄道車両の車両床下，床中，天井，側，妻，仕切り壁内に電線を設置しており、前記電線の周囲に、高透磁率で飽和磁束密度の高い部材を、設置したこと、を特徴とする鉄道車両。
【請求項２】
請求項１の鉄道車両において、前記電線は、断面がチャンネル状の２枚の板を重ねた鉄板に設置されており、該鉄板は該電線の上面及び前記電線の側方にあり、該２枚の重ねた遮蔽板の間に前記部材を挟んでおり、前記電線の上面に該上面からから吊り下げたボルトに管押えを介して前記管を固定していること、を特徴とする鉄道車両。
【請求項３】
請求項２の鉄道車両において、前記２枚の板の端部同士にはシール材を設置していること、を特徴とする鉄道車両。
【請求項４】
鉄道車両の車体台枠と床敷物の間に、または天井・側・妻等の壁裏に、高透磁率で飽和磁束密度の高い部材を設置していること、を特徴とする鉄道車両。
【発明の詳細な説明】
【技術分野】
【０００１】
本発明は、鉄道車両に設置された電線より発生する漏洩磁束が車内へ漏れるのを低減する磁気遮蔽板に関するものである。
【背景技術】
【０００２】
一般に、鉄道車両に設置された電線より発生する漏洩磁束が車内へ漏れるのを低減する為に、車両床下，床中，天井，側，妻，仕切り壁内に磁性材の鋼板を配置している状況にある。
【０００３】
磁気遮蔽板の遮蔽能力の向上および軽量化を目的とし、〔特許文献１〕が提案されている。これは、磁性体の鋼板に替えて例えば珪素鋼板にしたものである。
【０００４】
【特許文献１】特開２００２−１７０７２４号公報
【発明の開示】
【発明が解決しようとする課題】
【０００５】
上記〔特許文献１〕は電気機器に対しての実施例が説明されており、電線については開示されていない。また、鉄道車両に設置された電線より発生する漏洩磁束に対する磁気遮蔽板については、単一の鋼板を用いたものしか無い。
【０００６】
本発明の目的は、鉄道車両に設置された電線より発生する漏洩磁束の低減率を向上することである。
【課題を解決するための手段】
【０００７】
本願発明は、鉄道車両の車両床下，床中，天井，側，妻，仕切り壁内に電線を設置しており、前記電線の周囲に、高透磁率で飽和磁束密度の高い部材を、設置したこと、を特徴とする。
【発明の効果】
【０００８】
本発明によれば、高透磁率で飽和密度の高い部材を鉄板で挟み込んでいる為、漏洩磁束の吸引効果を向上させることが可能となり、車内への漏洩磁束を低減すると共に小型で軽量な磁気遮蔽板を提供することが可能となる。
【発明を実施するための最良の形態】
【０００９】
実施例１を説明する。
【実施例１】
【００１０】
以下、本発明の一実施例を図１〜図３を参照して説明する。図１は電線を車体に設置した状態の平面図である。図１において、１０は鉄道車両の台枠である。２１は台枠１０の下面に配置した電線である。電線２１は車体の長手方向に沿っている。電線２１は集電子（図示せず）から各機器，電動機の動力源用である。
【００１１】
図２において、電線２１の取付け構造を説明する。電線２１は電線管２２内に配されており、２列の電線管２２、２２は管押さえ２３により磁気遮蔽板３０の内側に固定されている。磁気遮蔽板３０は断面がチャンネル状で、電線管２２、２２の上面と両側面に覆う形状となっている。磁気遮蔽板３０は、２枚のチャンネル状の鉄板３０ａ，３０ｂ間に積層した珪素鋼板３０ｃと、この３者を固定するボルト，ナット３１と、上方の鉄板に固定したボルト，ナット３２とからなる。珪素鋼板３０（３０ｂ，３０ｃ）の端部は耐熱性・水密性のシール剤３３でシールしている。これは、珪素鋼板３０ｂ，３０ｃの端部の隙間からの水の侵入を防止するためである。珪素鋼板３０ｃの肉厚は薄く、複数枚を積層している。
【００１２】
また、鉄板３０ｂ，３０ｃを貫通するボルト３２の貫通部もシール材３３を塗布してシールしている。
【００１３】
この磁気遮蔽板３０は図３に示すように、上向きのボルト３４で上方の台枠１０から吊り下げられたブラケット１１に固定している。
【００１４】
このような構成によれば、高透磁率で飽和磁束密度の珪素鋼板３０ｃを通常の鋼板の磁気遮蔽板３０ａ，３０ｂで挟み込み、ボルト３４で固定している。ボルト３４の周囲もシール剤３３により包囲している為に、車両走行中の振動による影響を防止できる。また、車両走行中の飛石による破損や風雨による特性劣化を防止することが可能となる為、信頼性の高い磁気遮蔽板３０を提供できる。
【００１５】
また、高透磁率で飽和磁束密度の珪素鋼板３０ｃを通常の鋼板の磁気遮蔽板３０ａ，
３０ｂで挟み込み、ボルト，ナット３１を挿入して固定している為に、珪素鋼板３０ｃの板厚を自由に調整することが可能である。
【００１６】
上記実施例はシール剤３３にて水密を確保したが、珪素鋼板にダクロダイズド処理や亜鉛メッキを施すことで代用することも可能である。
【００１７】
上記実施例は珪素鋼板で説明したが、アモルファスも利用可能である。
【００１８】
上記は床下の電線について説明したが、他の個所（天井，側，妻，仕切り壁内）にも同様の構造にて実施可能である。
【実施例２】
【００１９】
図４に本発明の他の実施例を示す。図４において、１０，５０はそれぞれ台枠，床敷物であり、この間に高透磁率で飽和磁束密度の珪素鋼板４０を磁気遮蔽板として配置している。
【００２０】
このような本実施例によれば、既存の部材である台枠１０，床敷物５０の間へ高透磁率で飽和磁束密度の珪素鋼板４０を挟み込むだけで磁気遮蔽板を構成できる為、構造が簡単なうえ、小型で軽量な磁気遮蔽板を提供することが可能である。
【００２１】
上記実施例は珪素鋼板で説明したが、アモルファスも利用可能である。
【００２２】
上記は台枠１０，床敷物５０間への設置について説明したが、他の個所（天井・側・妻等の壁裏）への設置も可能である。
【図面の簡単な説明】
【００２３】
【図１】鉄道車両の床下を下方から上方に見た平面図である。
【図２】図１のII−II断面図である。
【図３】図１のIII−III断面図である。
【図４】本願発明の他の実施例の図２相当図である。
【符号の説明】
【００２４】
１０…鉄道車両の台枠、１１…ブラケット、２１…電線、２２…電線管、３０…磁気遮蔽板、３０ａ…通常の鋼板の磁気遮蔽板（外側）、３０ｂ…通常の鋼板の磁気遮蔽板（内側）、３０ｃ…高透磁率で飽和密度の高い部材、３３…シール剤、４０…磁気遮蔽板、
５０…床敷物。
【図１】
2005212575.tif 000003
【図２】
2005212575.tif 000004
【図３】
2005212575.tif 000005
【図４】
2005212575.tif 000006
(57)【要約】【課題】    貴金属保護と簡易取り出しを兼ね備えたもの。【解決手段】  貴金属または貴金属の合金からなる薄板の周囲、表裏を水が浸透しやすい素材や水溶液で溶けやすい素材で保護し、さらに樹脂板を重ね合わせたことを特徴とする貴金属保護と簡易取り出しを兼ね備えた複合板にする。【選択図】      図６
2005212468.tif 000002
【特許請求の範囲】
【請求項１】
貴金属または貴金属の合金からなる薄板の周囲、表裏を水が浸透しやすい素材や水溶液で溶けやすい素材で保護し、さらに樹脂板を重ね合わせたことを特徴とする貴金属保護と簡易取り出しを兼ね備えた複合板。
【発明の詳細な説明】
【技術分野】
【０００１】  本発明は、お守りや位牌・賞状・楯・アクセサリー・販促品など手軽に用いることができ、中の貴金属がその場では簡単に取り出せないように保護され、取り出しには簡易で重さ・形状が変わることなく、特別の装置・溶剤をも必要としない複合板に関する。
【背景技術】
【０００２】  従来は中の貴金属が簡単に取り外せないようにケースに入れる・ラミネート加工・縫い付けるなどして保護しており、保護材を取り除き中の貴金属を取り出す場合には機械的力・物理的力・溶剤などで保護材を取り除いていた。【０００３】  また、取り出す際に怪我の発生や特別の機械・機器・業者を必要としていた。【０００４】  また、取り出した貴金属には他の部材が付着し、変形していることが多い。【０００５】  そのため、中の貴金属を取り出し集めるという場合に困難を極め、製品そのものを集め、保管しておかなければならず、保管場所も大きくなり保管管理が不便であった。【０００６】  専門業者に依頼しても日数がかかり、しかも取り出された貴金属重量をその場で確認することが困難であり相互不信感をも生み出す結果となっている。
【特許文献１】    特許出願公告  平５−３９７８７    絵文字付き貴金属複合板
【特許文献２】    登録実用新案  第３０８７３３６号  貴金属収納ケース
【発明の開示】
【発明が解決しようとする課題】
【０００７】  解決しようとする問題点はその場では簡単に取り出せないように中の貴金属が保護されており、取り出し、貴金属を集め換金等するときに早く、変形なく、重量を確実に誰もがしかも安全で保管スペースが小さくてよいものにすること。
【課題を解決するための手段】
【０００８】  貴金属または貴金属の合金からなる薄板の周囲を千代紙で囲み、上下を透明樹脂板で重ね合わせ、接着剤や粘着剤で複合板にする。【０００９】  また、貴金属または貴金属の合金からなる薄板の周囲を樹脂・金属等水又は水溶液に溶けにくい部材で囲み、一方または上下に写真・千代紙などを接着し、さらに透明樹脂板を重ね合わせ、接着剤や粘着剤で複合板にする。
【発明の効果】
【００１０】  本発明は貴金属が千代紙と透明樹脂板で保護され、取り出すときはこの複合板を水につけることにより千代紙が水を含み接着強度が低下し、貴金属の重量・形状を変えることなく簡易・安全・短時間で素人でも取り出すことが出来る。【００１１】  また、複合板の周りを金属や別の樹脂にはめ込んだものも、さらに貴金属は保護され、取り出す際にも水につけることで水が浸透し、簡易に取り出すことが出来る。【００１２】  この方法では千代紙の模様や写真・図柄等を任意に入れることによって、装飾的にも独自性にも優れて、しかも怪我する危険性がなく、溶剤を使用しないので環境にもよいものとなる。
【発明の実施するための最良の形態】
【００１３】  貴金属または貴金属の合金からなる薄板の周囲を千代紙で囲み、上下を透明樹脂板で重ね合わせ、接着剤や粘着剤で複合板にする。
【実施例１】
【００１４】  図３のごとく厚さ３０ミクロンの貴金属２を千代紙３で囲み千代紙３の接着部分面と正面樹脂板１と背面樹脂板５とを接着する。【００１５】  これにより貴金属２は千代紙３と正面樹脂板１と背面樹脂板５とで保護された。【００１６】  また、貴金属２を取り出すときは貴金属２と正面樹脂板１と背面樹脂板５は接着しておらず、水中につけることにより、千代紙３が水を含み、正面樹脂板１と背面樹脂板５とが分離され簡易に取り出すことが出来た。
【実施例２】
【００１７】  図４のごとく厚さ３０ミクロンの貴金属２を千代紙３で囲み千代紙３の接着部分面と正面樹脂板１とを接着し、千代紙３の接着部分面のもう一方を写真４の裏面と写真４の表面と背面樹脂板５とをそれぞれ接着した複合板をつくる。【００１８】  これにより貴金属２は千代紙３と写真４と正面樹脂板１と背面樹脂板５とで保護された。【００１９】  また、貴金属２を取り出すときは同様に水中につけることにより、千代紙３と写真４とが水を含み、正面樹脂板１と背面樹脂板５とが分離され簡易に取り出すことが出来た。
【産業上の利用可能性】
【００２０】  お守り・携帯ストラップ・アクセサリー・販促品として貴金属が集り、特定の写真や願い事そして文字や絵画等を入れ、独自性と個性化による新しいサービスとなりうる。
【図面の簡単な説明】
【００２１】
【図１】  貴金属を千代紙で囲み千代紙部分面と正面樹脂とを接着した正面図である。
【図２】  貴金属を千代紙で囲み千代紙部分面と背面樹脂とを接着した背面図である。
【図３】  貴金属を千代紙で囲み千代紙部分面と正面樹脂と背面樹脂とを接着した右断面図である。
【図４】  貴金属を千代紙で囲み千代紙部分面と写真と正面樹脂とを接着した正面図である。
【図５】  貴金属を千代紙で囲み千代紙部分面と写真と背面樹脂とを接着した正面図である。
【図６】  貴金属を千代紙で囲み千代紙部分面と写真と正面樹脂と背面樹脂とを接着した右断面図である。
【符号の説明】
【００２２】      １  正面樹脂
２  貴金属
３  千代紙
４  写真
５  背面樹脂
【図１】
2005212468.tif 000003
【図２】
2005212468.tif 000004
【図３】
2005212468.tif 000005
【図４】
2005212468.tif 000006
【図５】
2005212468.tif 000007
【図６】
2005212468.tif 000008
(57)【要約】【課題】  軽量型でゼンマイバネにてマガジン内の画鋲を前方に押し出し、ハンドル部を押すことにより、連続的にボード等に取り付けることができる画鋲打ち器を提供する。【解決手段】  画鋲を複数個連設してなる詰め替え可能なマガジンを着脱自在に収納してなるホルダーと、画鋲を１つずつ前方に押し出すべく、スライド板に押出片を設けたバネ部を設けた押出具と、ホルダーに開閉自在に設けた先端部に画鋲をボード等に取り付ける押込ロッドを設けた押込具とからなることを特徴とする。【選択図】  図１
2005212469.tif 000002
【特許請求の範囲】
【請求項１】
画鋲を複数個連設してなる詰め替え可能なマガジンを着脱自在に収納してなるホルダーと、画鋲を１つずつ前方に押し出すべく、スライド板に押出片を設けたバネ部を設けた押出具と、ホルダーに開閉自在に設けた先端部に画鋲をボード等に取り付ける押込ロッドを設けた押込具とからなることを特徴とする画鋲打ち器。
【請求項２】
バネ部が、ゼンマイバネであることを特徴とする請求項１記載の画鋲打ち器。
【請求項３】
スライド板及びマガジンに押出片を移動させるためのスリット部を設けてなることを特徴とする請求項１又は２記載の画鋲打ち器。
【請求項４】
押込ロッドの先端に磁石を設けてなることを特徴とする請求項１、２又は３記載の画鋲打ち器。
【発明の詳細な説明】
【技術分野】
【０００１】  本発明は、画鋲を１つずつ自動的に送り出し、手動で打ち込みできる画鋲打ち器に関するものである。
【背景技術】
【０００２】  従来の技術としては、棒状頭部を幅方向に連結させた複数の画鋲をスライド可能に挿入した筒状本体と、筒状本体の先端に設けられた個々の画鋲を打ち出す打ち出しガイドと、打ち出しガイドの頭部側において画鋲を打ち出すピストンと、ピストンの後部に取り付けられ、自動復帰手段を備えた打ち出し用レバーと、筒状本体の後端に設けられた画鋲補充口と、画鋲補充口を開閉する蓋とを有することを特徴とする画鋲の打ち出し器がある。（特許文献１参照）
【特許文献１】  特開平９−２０７４９８号公報（請求項３、図４）
【発明の開示】
【発明が解決しようとする課題】
【０００３】  しかしながら、上記のような形態のものは、専用の画鋲（棒状頭部）を使用しなければならず、画鋲を切らせた時、専門店でしか購入できず、作業がストップすることがある。
また、専用の画鋲であるため、コストも高く、頭部が棒状であるためポスターや垂れ幕等の自重が重いものには使用できないものである。（破れてしまう危険性がある）【０００４】  本発明は、上記の問題点に鑑みなされたもので、軽量型でゼンマイバネにてマガジン内の画鋲を前方に押し出し、ハンドル部を押すことにより、連続的にボード等に取り付けることができる画鋲打ち器を提供することを目的とする。
【課題を解決するための手段】
【０００５】  課題を解決するための手段として、画鋲を複数個連設してなる詰め替え可能なマガジンを着脱自在に収納してなるホルダーと、画鋲を１つずつ前方に押し出すべく、スライド板に押出片を設けたバネ部を設けた押出具と、ホルダーに開閉自在に設けた先端部に画鋲をボード等に取り付ける押込ロッドを設けた押込具とからなること。また、バネ部が、ゼンマイバネであること。さらに、スライド板及びマガジンに押出片を移動させるためのスリット部を設けてなること。その上、押込ロッドの先端に磁石を設けてなることを特徴とする。
【発明の効果】
【０００６】  本発明の画鋲打ち器によれば、軽量なため女性でも簡単、容易に作業が行えると共に、ハンドル部を押し込むことにより画鋲を確実にボード等に連続して取り付けることができる効果がある。
また、マガジンを使用することにより、画鋲の追加や交換が容易に行え、予備を持つことにより、一度に多くの作業を行うことができ、作業効率を向上させてなる。
【発明を実施するための最良の形態】
【実施例】
【０００７】  １は、画鋲打ち器である。
２は、画鋲Ｇを複数個連設してなるマガジンで、上面にスリット部２ａを設けると共に、Ｔ字型の溝２ｂを形成してなるものである。
３は、上記マガジン２を上方より挿入し、収納するホルダーで、断面略コの字形に形成してなるものである。
４は、押出具で、上記マガジン２の上方に水平方向に出し入れ自在な長溝４ａ１を形設してなるスライド板４ａの先端部に平板状（上記スリット部２ａに対応する）の押出片４ｂ１を設けたゼンマイバネであるバネ部４ｂを設けると共に、後部にマガジン２の抜け止め用のストッパー４ｃを設けてなるものである。
５は、上記ホルダー３にピンＰにて開閉自在に設けた、画鋲Ｇをボード（図示せず）等に取り付ける（押圧する）先端に磁石５ａ１を設けた押込ロッド５ａを設けた押込具で、コの字形の枠本体５ｂの上部にハンドル部５ｃを設けると共に、裏面に跳ね返り用の板バネ５ｄを設けてなるものである。【０００８】  上記のように構成した画鋲打ち器１の使用例について下記に述べる。
まず、ハンドル部５ｃを握って押込具５を上方に開口させた後、押出具４を後方に引き出し、マガジン２をホルダー３内に収納し、再度ハンドル部５ｃを握って押込具５を下方に降ろす。
つづいて、ボード（図示せず）等にホルダー３の下面を押し当て、握ったハンドル部５ｃを押し込むことにより、押込ロッド５ａが突出し、磁石５ａ１に付着した画鋲Ｇを取り付ける（押圧）ことができるものである。
つぎに、２個目の画鋲Ｇ１を取り付ける場合、板バネ５ｄの反発により押込具５が上方に移動すると共に、押込ロッド５ａも上方に移動すると同時に、バネ部４ｂの巻取力により押出片４ｂ１にて画鋲Ｇ２を前方に押すことにより画鋲Ｇ１が押し出され、上記と同様に磁石５ａ１に付着させ、順次取り付けるものである。【０００９】  なお、上記実施例において、各部位の形状は、同様な機能を有するものであれば、特に限定するものではない。
また、画鋲打ち器やマガジンの大きさは、必要に応じて決めればよい。
【図面の簡単な説明】
【００１０】
【図１】  本発明の実施形態を示す画鋲打ち器の一部中央縦断正面図。
【図２】  本発明の実施形態を示す画鋲打ち器のＤ線横断平面図。
【図３】  本発明の実施形態を示す画鋲打ち器のＢ線縦断側面図。
【図４】  本発明の実施形態を示す画鋲打ち器のマガジンの底面図。
【図５】  本発明の実施形態を示す画鋲打ち器のマガジンの側面図。
【図６】  本発明の実施形態を示す画鋲打ち器の押込具を開口した使用状態図。
【図７】  本発明の実施形態を示す画鋲打ち器の画鋲を押し込んだ使用状態図。
【符号の説明】
【００１１】  １    画鋲打ち器
２    マガジン
３    ホルダー
４    押出具
５    押込具
【図１】
2005212469.tif 000003
【図２】
2005212469.tif 000004
【図３】
2005212469.tif 000005
【図４】
2005212469.tif 000006
【図５】
2005212469.tif 000007
【図６】
2005212469.tif 000008
【図７】
2005212469.tif 000009
(57)【要約】【課題】  本発明は、人間本来の治癒力をより高める遠赤外線、マイナスイオン等を発する健康に良い効果をもたらすボールペン、万年筆、シャープペンシル等の筆記用具を提供する【解決手段】  本発明は、人間本来の治癒力をより高める遠赤外線、マイナスイオン等を発する天然鉱石粉末やそのセラミック粉末を一部、或いは全体部に塗布、或いは、これらの天然鉱石粉末やそのセラミック粉末を混練したプラスチック材料、ゴム系材料で製造した部品で一部、或いは、全部を構成し、健康に良い効果をもたらすボールペン、万年筆、シャープペンシル等の筆記用具を完成する【選択図】  図２
2005212466.tif 000002
【特許請求の範囲】
【請求項１】
ボールペン、万年筆、シャープペンシル等筆記用具の一部、或いは、全部を健康に良い効果をもたらす遠赤外線やマイナスイオン等を発する黒鉛珪石や種々の天然鉱石粉末  或いは、これらの天然鉱石から作ったセラミック粉末から１種類、或いは、数種類を、塗布し、或いは、重量比５％から９５％を含有させ、混練したプラスチック材料、ゴム系材料から構成したボールペン、万年筆、シャープペンシル等の筆記用具。
【請求項２】
ボールペン、万年筆、シャープペンシル等筆記用具の一部、或いは、全部を健康に良い効果をもたらす遠赤外線とマイナスイオン等を発する黒鉛珪石や種々の天然鉱石粉末、微量放射線等を発する種々の天然鉱石粉末  或いはこれらの天然鉱石から作ったセラミック粉末から１種類、或いは、数種類を、塗布し、或いは、重量比５％から９５％含有させ、混練したプラスチック材料、ゴム系材料から構成したボールペン、万年筆、シャープペンシル等の筆記用具。
【発明の詳細な説明】
【技術分野】
【０００１】  本発明は、人間本来の治癒力をより高める為の効果的な遠赤外線、マイナスイオン等を発する健康に良い効果をもたらす筆記用具に関するものである。
【背景技術】
【０００２】  従来、遠赤外線、マイナスイオン等を発する天然鉱石（非特許文献１）やセラミックを使用した多種多様の商品が開発、発売されている。  アクセッサリーや腕輪、衣類、繊維（特許文献１）として身につける商品が数多く見受けられる。  現在、普及しているこれらの商品は天然鉱石やセラミックの粉末状の物を塗布し、或いは、混練して製造されている。【０００３】  しかし、遠赤外線、やマイナスイオンの効果をもたらす為に、これらの天然鉱石やセラミックを取り入れた筆記用具はない。多くの人は常に筆記用具は持っているし、事務所ではデスク等に必ずある商品で、常に身の周りにあることでより遠赤外線、マイナスイオン等の効果が期待できる本発明は有効である
【非特許文献１】  広野滋之  薯  ＳＧＥで病気を治す、岩盤浴天降の癒
【特許文献１】  特開平０６−３１９８０７  天然放射性希有元素鉱物を利用した健康材料
【発明の開示】
【発明が解決使用とする課題】
【０００４】  本発明が解決しようとする課題は、人間本来の治癒力をより高める遠赤外線、マイナスイオン等を発する天然鉱石粉末やそのセラミックス粉末を使用し、健康に良い効果をもたらすボールペン、万年筆、シャープペンシル等の筆記用具を提供する目的である。
【課題を解決する為の手段】
【０００５】    本発明は  ボールペン、万年筆、シャープペンシル等の筆記用具の一部  或いは  全部を健康に良い効果をもたらす遠赤外線やマイナスイオン等を発する天然鉱石粉末やセラミック粉末を塗布、或いは  これらの粉末を混練したプラスチック材料部品やゴム系材料部品から構成することにより、遠赤外線、マイナスイオン等を発し、健康に良い効果をもたらすボールペン、万年筆、シャープペンシル等の筆記用具ができる。
【発明の効果】
【０００６】  本発明の健康に良い効果をもたらす遠赤外線、マイナスイオン等を発するボールペン、万年筆、シャープペンシル等の筆記用具は常に身の回りにあること  或いは  常に携帯していることにより、より効果的な健康に良い効果をもたらすボールペン、万年筆、シャープペンシル等の筆記用具である。
【発明を実施するための最良の形態】
【０００７】  本発明者は鋭意検討した結果、下記発明に到達した。すなわち、健康に良い効果をもたらす遠赤外線やマイナスイオン等を発する黒鉛珪石や種々の天然鉱石粉末、或いは、これらの天然鉱石から作ったセラミック粉末から、１種類、或いは、数種類を、塗布した部品、或いは、重量比５％から９５％含有させ混練したプラスチック材料やゴム系材料で製造した部品で一部、或いは、全部を構成し、健康に良い効果をもたらすボールペン、万年筆、シャープペンシル等の筆記用具を作る事が可能となった。
【実施例１】
【０００８】    図１は、本発明の健康に良い効果をもたらすボールペン、万年筆、シャープペンシル等の筆記用具の代表例として、市販のボールペンを用意した。
図２は用意した市販のボールペンのグリップ部にシリコン系接着剤を塗布し、黒鉛珪石の平均３ミクロン粉末とマイナスイオンを発するセラミック粉末を均一に混合し塗布した。乾燥後に使用したが、少し指先に粉末のざらつきを感じたが、違和感は無く、逆に滑り止め効果があり、書きやすくなった。これらの粉体はもう少し細かい１ミクロンから２ミクロン程度の細かさの方が感触的には良い。
人間の体温は約３６℃であり、指の触れるボールペンのグリップ部では少し温度は低くなるが約３４℃であった。常温で遠赤外線を発する黒鉛珪石を利用する事により、遠赤外線とマイナスイオン等を多く発し、より効果がある。この健康に良い効果は遠赤外線吸収波長４−１４μの領域の遠赤外線（育成光線）とマイナスイオンの効果による物と考えているが、化学、医学的証明は検討中である。
【実施例２】
【０００９】    図３は、図２で示したグリップ部に黒鉛珪石の平均３ミクロン粉末とマイナスイオンを発するセラミック粉末を均一に混合し塗布したにボールペンの別の部分の一部に同様に黒鉛珪石の平均３ミクロン粉末とマイナスイオンを発するセラミック粉末を均一に混合し塗布した。この部分はボールペンを使用するときに手の一部が接触する部分にあたり、その部分の温度が上昇し、より遠赤外線とマイナスイオン等を多く発し、より効果がある。
【産業上の利用可能性】
【００１０】  本発明は、人間本来の治癒力を少しでも高め、さらに  マイナスイオン、微量放射線等の効果により、消臭効果も期待できる為、多くの人々の健康を少しでもより良い状態にするボールペン、万年筆、シャープペンシル等の筆記用具として利用できる。
【図面の簡単な説明】
【００１１】
【図１】本発明の実施例の市販のボールペン模式図
【図２】本発明の実施例の市販のボールペンのグリップ部に塗布した模式図
【図３】本発明の実施例の市販のボールペンに塗布した模式図
【符号の説明】
【００１２】  １  グリップ部
２  天然鉱石とセラミックを塗布したグリップ部
３．天然鉱石とセラミックを塗布した部分
【図１】
2005212466.tif 000003
【図２】
2005212466.tif 000004
【図３】
2005212466.tif 000005
(57)【要約】【課題】      薄板貴金属利用の宣伝広告・メッセージ効果。【解決手段】  アクセサリー・販促品などを貴金属または貴金属の合金からなる薄板に文字・図柄等エンボス加工したものを挿入あるいは添付した宣伝広告付き製品にする。【選択図】      図２
2005212467.tif 000002
【特許請求の範囲】
【請求項１】
貴金属または貴金属の合金からなる薄板を透明または半透明樹脂およびに紙・賞状用紙・盾・写真・ガラスなどに挿入もしくは添付し、その貴金属周囲や裏面に文字・写真等の広告・メッセージ等を表示したもの。
【請求項２】
貴金属または貴金属の合金からなる薄板に文字・図柄等のエンボス加工を施したものを紙・賞状用紙・盾・写真・ガラスなどに挿入もしくは添付し、その貴金属周囲や裏面に目的の広告やメッセージ等を表示したもの。
【請求項３】
貴金属または貴金属の合金からなる薄板に文字・図柄等のエンボス加工を施したものを金属金具や樹脂製品に挿入または添付し、その貴金属周囲や金属金具や樹脂製品の周囲・表・裏面に目的の広告やメッセージ等を表示したもの。
【請求項４】
上記の表・裏・両面を樹脂等でさらに保護したもの。
【発明の詳細な説明】
【技術分野】
【０００１】  本発明は、アクセサリー・販促品などに表示した宣伝広告効果を増大させるために薄板貴金属をそのアクセサリー・販促品などに挿入あるいは添付された製品に関する。
【背景技術】
【０００２】  従来のアクセサリー・販促品などを利用した宣伝広告では商品に添付することや、あつめてポイント還元などを利用していた。【０００３】  しかし、同じ物を集めると飽きて限界があり、ポイント還元も同じ店や業態に限られることが多く、世界共通とはなりにくい。【０００４】  また、貴金属の輝きを利用し貴金属上に宣伝広告を載せた金箔カレンダーなどがあるが貴金属としての換金性がなく、使い捨てとなっている。【０００５】  もし、貴金属の塊を入れた場合、価格が高すぎるのと、安価にするために小さくすると貴金属の希少性・見栄えが悪く、広告効果を減少させる。【０００６】  貴金属として換金できる薄板貴金属上に宣伝広告・メッセージを載せたものがあるが、この場合貴金属面積を大きく取る必要があり、必然的に価格が高く、広告宣伝のための配布制約や金額がかさみ、特定の購買者に偏る傾向があった。
【特許文献１】    特許出願公告  平５−３９７８７  絵文字付き貴金属複合板
【発明の開示】
【発明が解決しようとする課題】
【０００７】  解決しようとする問題点は貴金属として換金できる貴金属または貴金属の合金からなる薄板を挿入あるいは添付させることにより安価で宣伝広告・メッセージ効果を増大させ、グローバル的にリピーター確保を確実なものとすること。
【課題を解決するための手段】
【０００８】
【０００９】  アクセサリー・販促品などに貴金属または貴金属の合金からなる薄板を挿入あるいは添付し、宣伝広告・メッセージを薄板貴金属の周囲や裏面等に表示する。【００１０】  アクセサリー・販促品などに貴金属または貴金属の合金からなる薄板に文字・図柄等エンボス加工したものを挿入あるいは添付し、宣伝広告・メッセージを薄板貴金属の周囲や裏面等に表示する。【００１１】  さらに、相手の名前や家紋等を薄板貴金属の周囲や裏面等に表示する。
【発明の効果】
【００１２】  本発明はアクセサリー・販促品などに貴金属を挿入あるいは添付されたものとすることにより、安価で宣伝広告効果を増大させ、グローバル的にリピーター確保を確実なものとすることができるものである。
【発明の実施するための最良の形態】
【００１３】  上面に貴金属または貴金属の合金からなる薄板に文字・図柄等エンボス加工したものを樹脂に挿入あるいは添付し、薄板貴金属の周囲や裏面等に宣伝広告を表示する。
【実施例１】
【００１４】  図３のごとく厚さ３０ミクロンの開運招福文字エンボス加工した薄板貴金属２を透明樹脂板１に挿入・あるいは添付し、透明樹脂板１の周囲３や裏面４に宣伝広告・相手の名前や家紋等５を表示する。【００１５】  そして、薄板貴金属２により従来のより安価で宣伝広告５を引き立たせることができた。【００１６】  この実施例のごとく、貴金属の輝きをバックにした宣伝広告効果でないため貴金属の大きさも小さくでき、塊などより貴金属も見栄えがよく、しかも換金性と宣伝広告効果は絶大である。【００１７】  また、薄板貴金属上に開運招福などの文字や図柄をエンボス加工や刻印等することによりお守りとしてそのまま利用ができる。
【産業上の利用可能性】
【００１８】  保険や自動車車検等周期性の契約やイベントやリピーター確保に、お守り・携帯ストラップ・アクセサリー・販促品として宣伝広告効果を発揮し、しかもグローバル的に歩く広告塔として利用できる。【００１９】  各世界的博覧会などの広告の種類・形状など違っていても、中の貴金属は世界共通であるため、いくつのパビリオンで購入しても催し物が違っていても、さらには購入日・購入者が違っていても広告効果は高まる。
【図面の簡単な説明】
【００２０】
【図１】  薄板貴金属を樹脂に挿入し、宣伝広告を貴金属の周囲に表示した正面図である。
【図２】  薄板貴金属を樹脂に挿入し、宣伝広告を裏面に表示した背面図である。
【図３】  薄板貴金属を樹脂に挿入し、宣伝広告を貴金属の周囲や裏面に表示した右断面図である。
【符号の説明】
【００２１】      １  正面樹脂
２  薄板貴金属
３  宣伝広告
４  宣伝広告
５  樹脂裏面
【図１】
2005212467.tif 000003
【図２】
2005212467.tif 000004
【図３】
2005212467.tif 000005
(57)【要約】【課題】  従来の着脱可能なキャップを備えたノック式筆記具には拡大鏡が付いていなかったので、拡大鏡が必要な時に不便であった。【解決手段】  着脱可能なキャップを備えたノック式筆記具のキャップの中に拡大鏡を付けて、勉強中や仕事中に、また、日常的に拡大鏡が必要となった時に、キャップを外せばいつでも拡大鏡を使えるようにした。【選択図】図１
2005212470.tif 000002
【特許請求の範囲】
【請求項１】
着脱可能なキャップを備えているノック式筆記具のキャップの中に拡大鏡が付いていることを特徴とするノック式筆記具。
【発明の詳細な説明】
【技術分野】
【０００１】  本発明は、着脱可能なキャップを備えているノック式筆記具のキャップの中に拡大鏡が付いているノック式筆記具に関する。
【背景技術】
【０００２】  従来の着脱可能なキャップを備えたノック式筆記具には拡大鏡が付いていなかった。
【発明の開示】
【発明が解決しようとする課題】
【０００３】  従来の着脱可能なキャップを備えたノック式筆記具には拡大鏡が付いていなかった。そのため、拡大鏡が必要な時に不便であった。【０００４】  本発明は、着脱可能なキャップを備えたノック式筆記具のキャップの中に拡大鏡を付けて、必要ならば、いつでも、どこでも拡大鏡を使えることを目的とするものである。
【課題を解決するための手段】
【０００５】  本発明は、上記目的を達成するために着脱可能なキャップを備えたノック式筆記具のキャップの中に拡大鏡を付けたものである。【０００６】  上記解決手段による作用は、着脱可能なキャップを備えたノック式筆記具のキャップを外せば拡大鏡を使用することが出来る。
【発明の効果】
【０００７】  上述したように本発明のノック式筆記具は、キャップを外せば拡大鏡が使用できるので、勉強中や仕事中に小さな文字等を見る際に大変便利である。【０００８】  全般に亘って物を見る際にも使用出来る。【０００９】  また、拡大鏡を付けても、形状や大きさが従来品と変わりなく、携帯、携行しても何ら支障がないので広く活用出来るという効果を発揮するものである。
【発明の実施するための最良の形態】
【００１０】  以下、本発明の実施の形態を図１〜図３に基づいて説明する。
【００１１】  図１に示すように、ノック式筆記具１のキャップ２の中に拡大鏡３を付ける。
【００１２】  図２は、本発明実施のキャップ２をノック面４から見た図である。
【００１３】  図２で示すよう、にキャップ２のノック面４全体に亘って円形の孔５を開け、円形で孔５に丁度嵌る大きさの拡大鏡３を、図３で示すように、孔５からキャップ２の中に差し込む。そして、拡大鏡３がキャップ２から外れないように接着剤等で拡大鏡３とキャップ２とを強固に接着する。
【００１４】  外れないようであれば接着しなくても良い。
【００１５】  拡大鏡３は図３のように、キャップ２の中に全部入っていても良いし、そうでなくても良い。
【００１６】  拡大鏡３の形状は円形に限定するものではなく、大きさも孔５に丁度嵌る大きさに限定するものではない。
【００１７】  孔５の形状も円形に限定するものではなく、大きさもノック面４全体に亘る大きさに限定するものではない。
【００１８】  例えば、ノック面４全体に亘って円形の孔５を開けて、円形で孔５に丁度嵌る大きさの拡大鏡３を半分にした、半円形の拡大鏡３を、孔５からキャップ２の中に差し込む。そして、外れないように接着剤等で拡大鏡３とキャップ２とを強固に接着する。
【００１９】  孔５の大きさが、ノック面４全体に亘っていない場合は、拡大鏡３を孔５に差し込んだ際に、拡大鏡３を確実に支えられる厚さに、ノック面４の厚さＴがなくてはならない。
【図面の簡単な説明】
【００２０】
【図１】  本発明の実施の形態を側面から見た図である。
【図２】  本発明実施のキャップをノック面から見た図である。
【図３】  同キャップの図２におけるＡ−Ａ線断面図である。
【符号の説明】
【００２１】    １  ノック式筆記具
２  キャップ
３  拡大鏡
４  ノック面
５  孔
６  拡大鏡の縁
７  孔の縁
８  差し込み口
Ｔ  ノック面の厚さ
【図１】
2005212470.tif 000003
【図２】
2005212470.tif 000004
【図３】
2005212470.tif 000005